(57)【特許請求の範囲】
【請求項１】
上面が開口し、果実をパック詰めしたトレーを複数個収納する略直方体形状の箱体からなる集合包装容器であって、前記箱体は発泡成形体で形成され、前記箱体の高さ（Ｈ）が５５〜８０ｍｍ、長手方向の長さ（Ｌ）が５７０〜６５０ｍｍ、短手方向の長さ（Ｗ）が３３０〜４００ｍｍであり、前記箱体の内部が、前記箱体の側壁内面側に箱体の内方に向けて突出して設けられた側壁突出部と、箱体の中央部に設けられた中央凸部とによって、６個のトレー収納部に区画されており、前記トレー収納部は、箱体の長手方向に２列３個ずつ並び、且つ、一方の列はトレー収納部の長辺方向が箱体の短手方向に向けられた１個のトレー収納部と、それに続くトレー収納部の長辺方向が箱体の長手方向に向けられた２個のトレー収納部が並ぶと共に、他方の列はトレー収納部の長辺方向が箱体の長手方向に向けられた２個のトレー収納部と、それに続くトレー収納部の長辺方向が箱体の短手方向に向けられた１個のトレー収納部が並ぶように配置されており、前記側壁突出部と中央凸部とが、トレーのフランジ部又は側壁部を支持するように配置されており、前記中央凸部が、前記側壁突出部に向けて突出して設けられた中央突出部を有し、該中央突出部と前記側壁突出部との間隔が３０〜９０ｍｍであることを特徴とする、集合包装容器。
【請求項２】
上記側壁突出部と中央凸部とによって区画されたトレー収納部の底壁部にはそれぞれ貫通穴が形成されており、前記区画されたトレー収納部の底壁部の面積に対する前記貫通穴の開口の面積の割合が、５０〜８０％であることを特徴とする、請求項１に記載の集合包装容器。
【請求項３】
上記側壁突出部及び中央凸部が、上面側から下面側に向けて拡大するテーパ形状であることを特徴とする、請求項１または２に記載の集合包装容器。
【請求項４】
上記箱体の四隅角部分の側壁上面には係合突起が形成され、箱体の四隅角部分の底壁下面には前記係合突起に係合する係合凹部が形成されていることを特徴とする、請求項１〜３のいずれかに記載の集合包装容器。
【請求項５】
請求項１〜４に記載の集合包装容器を上下方向に複数積み重ねてなることを特徴とする、集合包装容器積層体。
【発明の詳細な説明】
【技術分野】
【０００１】
本発明は、主にイチゴ、ぶどう、さくらんぼ、びわ、いちじく等の果肉の軟らかい果実を輸送するのに好適な、集合包装容器及びその積層体に関するものである。
【背景技術】
【０００２】
従来、イチゴ、ぶどう、さくらんぼ、びわ、いちじく等の果肉の軟らかい果実は、小売店での販売単位に合わせて、トレー（薄肉樹脂成形容器）に適当量パック詰めされて販売されている。
このイチゴ等をパック詰めしたトレーは、その取扱性や輸送コストなどを考慮した場合、１個ずつよりも複数単位でまとめて、かつできる限り多くの量を一度に出荷することが望ましい。
そこで、上記トレーは複数個をまとめて、更に容量の大きな段ボール箱や樹脂製コンテナ等の集合包装容器に収納して出荷されており、段ボール箱単位又はコンテナ単位で貯蔵、保管、輸送等の取扱いができるようにされている（特許文献１参照）。
また、近年では、熱可塑性樹脂の発泡粒子成形体からなる集合包装容器も提案されている（特許文献２参照）。
【先行技術文献】
【特許文献】
【０００３】
【特許文献１】実開昭５８−５２１２２号公報
【特許文献２】特開２０１５−４００５０号公報
【発明の開示】
【発明が解決しようとする課題】
【０００４】
一方、近年では、イチゴ等の果実を見栄えよく収納するために、浅型のトレー容器（以下、平トレーということがある）が使用されるようになってきている。このような浅型のトレー容器に合わせて、発泡成形体からなる集合包装容器の側壁高さを単に低いものとした場合には、集合包装容器自体が撓み易くなるおそれがあった。
【０００５】
本発明は、上述した背景技術が有する実情に鑑みて成されたものであって、その目的とするところは、組み立ての必要がなく軽量であると共に、かつ撓み強度に優れる集合包装容器を提案することにある。
【課題を解決するための手段】
【０００６】
上記した目的を達成するため、本発明は、次の〔１〕〜〔５〕に記載の集合包装容器及びその積層体とした。
〔１〕上面が開口し、果実をパック詰めしたトレーを複数個収納する略直方体形状の箱体からなる集合包装容器であって、前記箱体は発泡成形体で形成され、前記箱体の高さ（Ｈ）が５５〜８０ｍｍ、長手方向の長さ（Ｌ）が５７０〜６５０ｍｍ、短手方向の長さ（Ｗ）が３３０〜４００ｍｍであり、前記箱体の内部が、前記箱体の側壁内面側に箱体の内方に向けて突出して設けられた側壁突出部と、箱体の中央部に設けられた中央凸部とによって、６個のトレー収納部に区画されており、前記トレー収納部は、箱体の長手方向に２列３個ずつ並び、且つ、一方の列はトレー収納部の長辺方向が箱体の短手方向に向けられた１個のトレー収納部と、それに続くトレー収納部の長辺方向が箱体の長手方向に向けられた２個のトレー収納部が並ぶと共に、他方の列はトレー収納部の長辺方向が箱体の長手方向に向けられた２個のトレー収納部と、それに続くトレー収納部の長辺方向が箱体の短手方向に向けられた１個のトレー収納部が並ぶように配置されており、前記側壁突出部と中央凸部とが、トレーのフランジ部又は側壁部を支持するように配置されており、前記中央凸部が、前記側壁突出部に向けて突出して設けられた中央突出部を有し、該中央突出部と前記側壁突出部との間隔が３０〜９０ｍｍであることを特徴とする、集合包装容器。
〔２〕上記側壁突出部と中央凸部とによって区画されたトレー収納部の底壁部にはそれぞれ貫通穴が形成されており、前記区画されたトレー収納部の底壁部の面積に対する前記貫通穴の開口の面積の割合が、５０〜８０％であることを特徴とする、上記〔１〕に記載の集合包装容器。
〔３〕上記側壁突出部及び中央凸部が、上面側から下面側に向けて拡大するテーパ形状であることを特徴とする、上記〔１〕又は〔２〕に記載の集合包装容器。
〔４〕上記箱体の四隅角部分の側壁上面には係合突起が形成され、箱体の四隅角部分の底壁下面には前記係合突起に係合する係合凹部が形成されていることを特徴とする、上記〔１〕〜〔３〕のいずれかに記載の集合包装容器。
〔５〕上記〔１〕〜〔４〕に記載の集合包装容器を上下方向に複数積み重ねてなることを特徴とする、集合包装容器積層体。
【発明の効果】
【０００７】
上記した本発明に係る集合包装容器によれば、組み立ての必要がなく軽量であると共に、撓み強度に優れる集合包装容器となる。
【図面の簡単な説明】
【０００８】
【図１】本発明に係る集合包装容器の一実施形態を示した図であって、（ａ）は平面図、（ｂ）は右側面図である。
【図２】図１に示した容器の図であって、（ａ）は底面図、（ｂ）は正面図である。
【図３】図１及び図２に示した容器を上方から見た斜視図である。
【図４】図１及び図２に示した容器を下方から見た斜視図である。
【図５】図１及び図２に示した容器の図であって、（ａ）は図１（ａ）のＡ−Ａ線に沿う部分の断面図、（ｂ）は図１（ａ）のＢ−Ｂ線に沿う部分の断面図である。
【図６】図１及び図２に示した容器の図であって、（ａ）は図１（ａ）のＣ−Ｃ線に沿う部分の断面図、（ｂ）は図１（ａ）のＤ−Ｄ線に沿う部分の断面図である。
【図７】図１及び図２に示した容器にイチゴのパック詰め平トレーを収納した状態を示した図であって、（ａ）は平面図、（ｂ）は図７（ａ）のＥ−Ｅ線に沿う部分の断面図である。
【図８】図１及び図２に示した容器を多段に積み重ねた状態を示した側面図である。
【図９】トレーを示した図であって、（ａ）は平トレーの概念的な斜視図、（ｂ）は通常のトレーの一例を示した概念的な斜視図である。
【図１０】集合包装容器をパレットに多段に積載した状態の一例を示した概念的な斜視図である。
【発明を実施するための形態】
【０００９】
以下、上記した本発明に係る集合包装容器の実施形態について、図面に基づいて詳細に説明する。なお、図示した本発明に係る集合包装容器の一実施形態において、正面図と背面図は同一にあらわれるので背面図を省略し、右側面図と左側面図も同一にあらわれるので左側面図を省略して示した。
【００１０】
図示した本発明に係る集合包装容器１は、上面が開口し、高さ（Ｈ）が５５〜８０ｍｍ、長手方向の長さ（Ｌ）が５７０〜６５０ｍｍ、短手方向の長さ（Ｗ）が３３０〜４００ｍｍの略直方体形状の箱体であって、その全体が熱可塑性樹脂の発泡成形体により一体的に形成されたものである。
【００１１】
特に、本発明に係る集合包装容器１は、浅型のトレー容器を収納するのに好適である。近年、イチゴ等を１段積みとして見栄えよくトレーに収納するために、図９（ａ）に示したような浅型のトレーが使用されるようになってきている。この浅型のトレーは、図９（ｂ）に示した通常のトレーに比して、高さが低いうえに長さ及び幅が広く、しかもフランジ部が短いという特徴を有するものである。また、トレーの側壁は、開口部分から底面に向けて、開口面積が小さくなるように傾斜して形成されている。このような浅型のトレーとしては、例えば、サイズが長さ１４０〜１８０ｍｍ、幅８０〜１２０ｍｍ、高さ２０〜４０ｍｍのものが挙げられ、具体的には、イチゴをパック詰めした平トレー〔フランジ部の端部間の長さ（トレーの長辺方向長さ）が１９６ｍｍ程度、幅（トレーの短辺方向長さ）が１２８ｍｍ程度、フランジ部の下端から底の下端までの高さが２３ｍｍ程度〕が挙げられる。このような浅型のトレーを集合包装容器に効率的に収納して、輸送効率を向上させるためには、集合包装容器の高さを、浅型のトレーに合わせて従来よりも低くすることが好ましい。かかる観点から、上記箱体の高さ（Ｈ）は、輸送効率の観点から、５８〜７５ｍｍであることが好ましく、６０〜７０ｍｍであることが更に好ましい。
【００１２】
また、輸送効率の観点からは上記集合包装容器を、汎用されている１２００×１０００ｍｍのパレットに図１０に示したように各段５個並べて積載するため、箱体の長手方向の長さ（Ｌ）は５６０〜６１０ｍｍであることが好ましく、５８０〜６０３ｍｍであることが更に好ましい。なお、箱体の短手方向の側壁に側壁段部が形成され、側壁段部がトレーのフランジ部を支持するように形成されていれば、側壁の強度を向上させることができると共に、箱体の長手方向の長さを短縮することができる。また、箱体の短手方向の長さ（Ｗ）は３５０〜３９０ｍｍであることが好ましく、３６０〜３８０ｍｍであることが更に好ましい。また、箱体の長手方向の長さ（Ｌ）に対する、箱体の高さ（Ｈ）の比（Ｈ／Ｌ）は、０．１〜０．２であることが好ましく、０．１１〜０．１５であることが更に好ましい。
なお、上記箱体の高さ（Ｈ）は、図５（ａ）に示したように、集合包装容器の底壁下面から側壁上面までの高さを測定する。また、上記箱体の長手方向の長さ（Ｌ）、短手方向の長さ（Ｗ）は、図２に示したように、集合包装容器の外形寸法を測定する。
【００１３】
上記箱体を構成する側壁２には、略長方形状の通気部３が、箱体の長手方向の側壁２ａにそれぞれ２個、箱体の短手方向の側壁２ｂにそれぞれ１個形成されている。これらの全通気部３の全側壁２に対する開口率は、冷却効率と側壁としての強度とのバランスから、１０〜６０％であることが好ましく、１５〜５０％であることが更に好ましく、１７〜３０％であることが特に好ましい。また、短手方向の側壁２ｂの外面側の中央付近には、取っ手となる切欠き凹部４がそれぞれ形成され、更に、長手方向の側壁２ａの上端には、対応する２か所の位置にバンドを引っ掛ける目印となる浅い凹部５が形成されている。
【００１４】
箱体の内部は、箱体の側壁から箱体の内方に向けて突出して設けられた側壁突出部２０と、箱体の中央部に設けられた中央凸部７とによって、総計６つのトレー収納部８に区画されている。この６つのトレー収納部８は、箱体の長手方向に２列３個ずつトレーが並ぶように配置されており、箱体の長手方向に形成された２列のうち一方の列には、トレー収納部の長辺方向が箱体の短手方向に向けられた１個のトレー収納部８ａと、それに続くトレー収納部の長辺方向が箱体の長手方向に向けられた２個のトレー収納部８ｂとが並ぶように形成され、他方の列にはトレー収納部の長辺方向が箱体の長手方向に向けられた２個のトレー収納部８ｂと、それに続くトレー収納部の長辺方向が箱体の短手方向に向けられた１個のトレー収納部８ａとが並ぶように、前記側壁突出部２０と中央凸部７により区分けされている。
【００１５】
上記側壁突出部２０と上記中央凸部７は、トレーの側壁部又はフランジ部を支持して、トレーを収納できるように形成されている。なお、トレーは宙吊り状態で保持されることが好ましい。トレーの側壁部は上面側から下面側に向けて傾斜がついているので、上記側壁突出部２０や中央凸部７の側面とトレーの側壁部とを当接させて支持することができる。また、上記側壁突出部２０や中央凸部７の上面にトレーのフランジ部を載せるようにして支持することもできる。また、トレーの側壁部での支持とトレーのフランジ部での支持を組み合わせてトレー収納部８にトレーを収納させることもできる。
なお、後記する側壁段部６におけるトレーの支持方法についても、上記側壁突出部２０や中央凸部７の場合と同様にしてトレーを支持することができる。
なお、緩衝性を向上させる観点からは、トレーのフランジ部を支持するように上記側壁突出部２０、中央凸部７や段部６が形成されていることが好ましい。以下、図示した実施形態のように、トレーのフランジ部を支持する態様について説明する。
【００１６】
図示した実施形態においては、箱体の側壁に、箱体の四隅角部分の側壁内面側に、上面視Ｌ字状の側壁段部６ａがそれぞれ形成されている。また、長手方向の側壁２ａの内面側に、側壁に沿って側壁段部６ｂがそれぞれ２個対向する長手方向の側壁間でずらした位置に形成され、短手方向の側壁２ｂの内面側にも側壁に沿って側壁段部６ｃがそれぞれ１個対向する短手方向の側壁間でずらした位置に形成されている。そして、これらの側壁を形成している側壁段部６ｂ，６ｃから箱体の内方に向けて突出するようにして、上記側壁突出部２０ａ，２０ｂがそれぞれ形成されている。また、側壁突出部２０によって箱体の内部は６個のトレー収納部に区画されている。上記したように側壁段部６が形成されていることにより、側壁の強度を向上させることができると共に、トレーのフランジ部を支持させることもできる。なお、側壁段部６は、トレーの少なくとも四隅のフランジ部を支持するように形成されていることが好ましく、箱体の四隅角部分の上面視Ｌ字状の側壁段部６ａは少なくとも形成されていることが好ましい。また、トレーのフランジ部の支持を考慮して、側壁段部６及び該側壁段部から突出している側壁突出部２０の高さが設計されていることが好ましい。
なお、側壁段部６ｂ，６ｃが形成されていない場合には、側壁突出部２０は、側壁２から箱体の内方に向けて突出するようにして、それぞれ形成される。
【００１７】
また、箱体の中央部には２個の上記中央凸部７ａ，７ｂが形成されている。そして、これらの中央凸部７ａ，７ｂは、箱体の外方に向けて、前記側壁突出部２０に向けて突出するようにして設けられた中央突出部３０ａ，３０ｂを有することが好ましい。なお、上記中央突出部３０は、少なくとも、トレー収納部８の四隅を形成し箱体内部を区分けするように、箱体の長手方向の側壁側に向けて突出して形成されていることが好ましい。なお、中央凸部７が形成されていることにより、トレーのフランジ部を支持させることもできる。この際、中央凸部７は、トレーの少なくとも四隅のフランジ部を支持するように形成されていることが好ましい。また、これを考慮して中央凸部７及び該中央凸部から突出している中央突出部３０の高さが設計されていることが好ましい。
なお、上記中央凸部７ａ，７ｂの中央部は肉盗みのために貫通穴１０ａ，１０ｂがそれぞれ形成されていてもよい。また、箱体の中央部に形成された中央凸部７ａ，７ｂの間には底壁が形成されているので、箱体が撓み難くなる構造となっている。また、中央凸部７ａ，７ｂのそれぞれの上面には、図示されるような突起９ａ，９ｂが形成されていてもよく、このような突起９が形成されていれば、収納したトレーＴのズレを防止することができる。
【００１８】
そして、図示した実施形態においては、上記の側壁突出部２０ａ，２０ｂ及び中央凸部を構成する中央突出部３０ａ，３０ｂによって、箱体の内部が、一方の列はトレー収納部の長辺方向が箱体の短手方向に向けられた１個のトレー収納部８ａと、それに続くトレー収納部の長辺方向が箱体の長手方向に向けられた２個のトレー収納部８ｂが並び、他方の列はトレー収納部の長辺方向が箱体の長手方向に向けられた２個のトレー収納部８ｂと、それに続くトレー収納部の長辺方向が箱体の短手方向に向けられた１個のトレー収納部８ａが並ぶように、総計６個のトレー収納部８に区画されている。
【００１９】
本発明においては、従来よりも箱体の側壁高さが低いものとなっている。側壁の高さが低くなると、特に、上記箱体のように略直方体形状の発泡成形体製の容器においては、箱体自体が撓み易くなり、箱体が破損し易くなる。さらに、箱体が撓んでしまうと、上記側壁突出部２０と中央凸部７（中央突出部３０が中央凸部に形成されている場合はそれを含む。以下、同じ。）とによりトレーのフランジ部を支持してトレーを宙吊りにした際、トレーのフランジ部が側壁突出部２０や中央凸部７から外れ易くなるおそれがある。一方、上記のようにトレー収納部８を特定の配置とすることにより側壁突出部２０及び中央凸部７を、上記撓みやねじれ等の力に対する補強リブとして機能させることができる。
例えば、一方の長手方向側壁に形成された側壁突出部２０ａは、他方の側壁に形成された側壁突出部２０ａと、それぞれ長手方向にずれた位置に形成されている。このような位置に側壁突出部が形成されていると、側壁突出部の形成位置を片寄りのないものとすることができ、箱体がねじれるような力がかかった際に、このような力に抵抗する補強リブとして機能し易くなる。また、中央凸部７ａ，７ｂにおいても、長手方向にずれた位置に形成されており、同様の補強リブとしての効果が得られる。特に、箱体の撓みに対する強度の観点から、側壁突出部２０に向けて形成された中央突出部３０ａ，３０ｂが設けられていることが好ましい。
また、上記の観点から、それぞれのトレー収納部８は、箱体の底壁の中心点に対して点対称となるように配列されていることが好ましい。このようにトレー収納部８が配置されていると、トレー収納部を区画する側壁突出部２０や中央凸部７も、箱体の中心に対して点対称に形成されるので、より補強リブとしての効果が発揮され易くなる。
【００２０】
上記側壁突出部２０及び中央凸部７は、図７に示したように、収納したイチゴのパック詰めトレーＴのフランジ部Ｆを支えるように配置されている。この際、トレーＴは宙吊り状態（底壁にトレーの底面が接触しない状態）で容器１内において側壁突出部２０と中央凸部７によって支持されることが好ましく、これを考慮してこれらの高さが設計されていることが好ましい。概ね、収納されるトレーの底面からフランジ部までの高さに対して１〜５ｍｍ程度高く側壁突出部２０と中央凸部７の高さが形成されることが好ましい。
【００２１】
なお、側壁突出部２０と中央凸部７が連続して形成されていると、強度は強くなるが、冷気の通りが悪くなる。そこで、側壁突出部２０及び中央凸部７は、少なくともトレーＴの四隅角部分のフランジ部Ｆを支持する箇所に、断続的に形成されていることが好ましい。さらに、トレーＴを四隅角部分で支えることで安定してトレーを支持することができ、輸送中の振動等によってトレーが突出部等から落下して果実を傷めることを防止できる。
【００２２】
また、トレー収納部８において、トレーのフランジ部Ｆはトレーの四隅部分で支持されることが好ましく、側壁突出部２０、中央凸部７（中央突出部３０を含む）、側壁段部６によって支持されることが好ましい。また、トレー収納部８の周囲長さ（図１，図３において二点鎖線示した長さ：Ｘ）に対する上記トレーのフランジ部を支える側壁突出部２０、中央凸部７（中央突出部３０を含む）、側壁段部６の合計長さ（図１，図３において点線で示した長さの合計：Ｙ）の割合は、４０〜９０％であることが好ましく、６０〜８５％であることが更に好ましい。上記範囲内であれば、フランジ受け面積が十分で輸送中の振動などに耐え得るものであるとともに、冷気の通りも良いものとなる。なお、箱体の撓みに対する強度と通気性の観点からは、中央凸部７は中央突出部３０を有することが好ましく、中央突出部３０は側壁突出部２０に向けて形成されており、中央突出部３０と側壁突出部２０の間隔（空間部分の幅）は、３０〜９０ｍｍが好ましく、４０〜８０ｍｍがより好ましい。
【００２３】
また、上記側壁突出部２０は、該側壁突出部の上面の幅〔トレーのフランジ部を支える部分の幅（図５（ｂ）参照）：Ｒ〕が、１０ｍｍを超えるものであることが好ましく、１２〜４０ｍｍであることが更に好ましい。上記範囲であれば、より安定してトレーを宙吊り状態で保持させることができると共に、側壁の強度を効果的に補強することができる。また、側壁突出部２０及び中央凸部７、中央突出部３０は、上面側から下面側に向けて拡大するテーパ形状であることが、箱体の撓みを防止するリブとしての強度が向上したものとなることから好ましく、その傾斜角度（鉛直面に対する角度）は０．５〜５°であることが適当である。
【００２４】
箱体の側壁厚み（Ｔ）は、１５〜３０ｍｍに形成されていることが好ましく、１７〜２５ｍｍに形成されていることが更に好ましい。側壁厚みは、長手方向の側壁２ａと短手方向の側壁２ｂとの間で異なるものとしてもよく、その場合には、長手方向の側壁厚みを短手方向の側壁厚みよりも厚いものとすることが、強度の観点、また箱体の長手方向の長さ（Ｌ）を短いものとすることができる観点から好ましい。また、側壁に、側壁段部６が形成されている場合には、段部上面の幅（図５（ａ）参照）：Ｑ〕は、６ｍｍを超えることが好ましく、１０〜２０ｍｍであることが更に好ましい。
なお、上記側壁厚み（Ｔ）は、側壁段部６や側壁突出部２０が存在していない部分の厚みを測定するものとする。具体的には、図５（ｂ）に示したように、側壁において突出部が設けられていない部分における、該部分の下端から１／２高さとなる部分の厚みを測定する。
【００２５】
長手方向の側壁２ａの上記通気部３が形成された部位の内面側には、指を挿入し得る円弧状の切欠き部１１がそれぞれ形成され、該切欠き部１１を利用して指を挿入し、宙吊り状態で収納保持された平トレーＴのフランジ部Ｆを摘み、トレーを容易に容器１から取り出し得るように構成されている。
【００２６】
箱体を構成する底壁１２には、貫通穴１３が形成されている。この貫通穴１３は、上記側壁突出部２０と中央凸部７とによって区画された６個のトレー収納部８のそれぞれの底壁部に形成されている。貫通穴１３は四角形状で、トレーが載置された際に、トレーの底面の中央部分に形成されていることが好ましい。具体的には、長さが１２０〜１８６ｍｍ、幅が７０〜１２３ｍｍであり、長さが１５０〜１８０、幅が８５〜１２０ｍｍであることが特に好ましい。また、前記区画されたトレー収納部８の底壁部の面積に対する前記貫通穴１３の開口の面積の割合は、５０〜８０％であることが好ましく、５５〜７５％であることが特に好ましい。この範囲であれば平トレーがイチゴの自重で撓んだり運搬中の振動等により上下した際も、トレー底部は底壁に接触することがなく、イチゴの損傷を抑制できる。特に、浅型の平トレーの場合には、イチゴ等の果実を収納したときにトレーの底面が撓みやすく、トレーを宙吊りにした際に、箱体の底壁とトレーの底面中央部分が接触し易くなるため、トレー底面の接触防止と通気用としての冷却効率の向上の観点から、トレー収納部に上記貫通穴１３が形成されていることが好ましい。なお、貫通穴１３が形成されると、箱体の強度は弱くなる傾向にあるので、特定の位置に形成された側壁突出部２０と中央凸部７の補強効果がより顕著なものとなる。
【００２７】
底壁１２の厚みは、緩衝性や底壁としての強度とのバランスの観点から、５〜２５ｍｍであることが好ましいく、１０〜２０ｍｍであることが特に好ましい。
【００２８】
箱体の四隅角部分の側壁上面には、上面視Ｌ字状の係合突起１４がそれぞれ形成され、箱体の四隅角部分の底壁下面には前記係合突起１４に係合する裏面視Ｌ字状の係合凹部１５がそれぞれ形成されている。そして、下段の容器１の上記係合突起１４を上段の容器１の係合凹部１５に係合させることにより、図８に示したように、容器１を多段に安定的に積み上げることができる。
【００２９】
上記Ｌ字状の係合突起１４の外側周縁の長さは、それぞれ４０ｍｍ以上であることが好ましい。上記範囲内であれば、上下の箱体の嵌合が十分なものとなり、箱体がズレたり、強度が低下したりすることなく、集合包装容器を積層することができる。また、係合突起１４の高さは２〜３０ｍｍであることが好ましく、５〜２０ｍｍであることが更に好ましく、８〜１５ｍｍであることが特に好ましい。上記の範囲であれば、係合が十分で、箱体を重ねた際に上下の箱体のズレがなく、突起自体の強度が低下して欠け易くなることがない。
【００３０】
箱体を構成する側壁２の上端には、バンドＰを引っ掛ける目印となる上記した浅い凹部５が形成されているため、容器を２個ずつ或いは３個ずつ積み重ね、上記したバンドＰを引っ掛ける浅い凹部５を利用してバンド掛けし、搬送し易いものとすることもできる。凹部５の長さは１〜８０ｍｍとすることが好ましく、２〜５０ｍｍが更に好ましく、３〜４０ｍｍが特に好ましい。上記範囲内であれば、受け面積が減少することがない。凹部の深さは、０．３〜５ｍｍが好ましく、０．５〜３ｍｍが更に好ましく、０．５〜２ｍｍが特に好ましい。上記範囲であれば、取り扱い性に優れたものとなる。
【００３１】
上記した構成の本発明に係る集合包装容器を構成する熱可塑性樹脂に制限はないが、例えば、ゴム変性ポリスチレンやポリスチレン等のスチレン系樹脂、ポリエチレン系樹脂やポリプロピレン系樹脂等のオレフィン系樹脂などの汎用樹脂、ポリスチレンとポリエチレンとの複合樹脂が例示され、これらの中でも高発泡させ易く、剛性に富むことからスチレン系樹脂が好ましい。また、発泡成形体の形態としては、上記した複雑な形状や、大きな形状の容器であっても容易に製造できることから、発泡粒子を所定形状の型内に充填して蒸気等で加熱成形し、発泡粒子を融着させて得られた発泡粒子成形体が好ましい。
【００３２】
本発明の集合包装容器は、スチレン系樹脂発泡粒子成形体で構成される場合、その発泡倍率は、３０〜８０倍であることが好ましく、４０〜７０倍であることが更に好ましい。上記範囲内であれば、緩衝性やクッション性に優れると共に、耐圧縮性や保形性にも優れ、積載用集合包装容器として優れたものとなる。特に、５０〜７０倍のポリスチレン系樹脂発泡粒子成形体であれば、曲げ強さは２０〜４０Ｎ／ｃｍ2程度であり、圧縮強さ（１０％ひずみ圧縮強さ）は１０〜３０Ｎ／ｃｍ2程度であるので、集合包装容器を２０段程度積み重ねても、十分な強度を有し、且つ、パレットでの輸送にも適する寸法の容器を得ることが容易となる。
【００３３】
本発明の集合包装容器の実施例について、以下、詳細に説明する。
この実施例にかかる集合包装容器１は、外形寸法が、高さ（Ｈ）が７０ｍｍ、長手方向の長さ（Ｌ）が６００ｍｍ、短手方向の長さ（Ｗ）が３８０ｍｍである。また、長手方向の側壁厚み（Ｔ）が２０ｍｍであり、短手方向の側壁厚み（Ｔ）が１６ｍｍであり、底壁の厚みは１５ｍｍである。箱体の長手方向の側壁２ａにはそれぞれ２個、短手方向の側壁２ｂにはそれぞれ１個の通気部３が形成されており、これらの全通気部３の全側壁２に対する開口率は２５％である。
【００３４】
また、箱体の四隅角部分の側壁内面側、長手方向の側壁内面側、短手方向の側壁内面側にそれぞれ側壁段部６が形成され、これらの側壁を形成している側壁段部６から箱体の内方に向けて突出するようにして側壁突出部２０が形成されている。また、箱体の中央部に２個の中央凸部７が設けられ、これらの中央凸部７は箱体の外方に向けて突出するように形成された中央突出部３０を有している。そして、箱体の内部は、上記側壁突出部２０と中央凸部７（中央突出部３０を含む）とによって、箱体の長手方向に２列３個ずつ並び、一方の列はトレー収納部の長辺方向が箱体の短手方向に向けられた１個のトレー収納部と、それに続くトレー収納部の長辺方向が箱体の長手方向に向けられた２個のトレー収納部が並び、他方の列はトレー収納部の長辺方向が箱体の長手方向に向けられた２個のトレー収納部と、それに続くトレー収納部の長辺方向が箱体の短手方向に向けられた１個のトレー収納部が並ぶように、総計６個のトレー収納部８に区画されている。また側壁突出部２０と中央凸部７（中央突出部３０を含む）と側壁段部６とが、平トレーのフランジ部の四隅角部分を支持するように配置されている。トレー収納部８の周囲長さ（Ｘ）に対する上記トレーのフランジ部を支える側壁突出部２０、中央凸部７（中央突出部３０を含む）そして側壁段部６の合計長さ（Ｙ）の割合は６１％である。また、側壁段部６の幅は７．８ｍｍであり、側壁突出部３０の幅は１８．２ｍｍである。側壁突出部２０、中央凸部７（中央突出部３０を含む）、側壁段部６の高さは、それぞれ２５ｍｍである。
【００３５】
底壁１２には、側壁突出部２０と中央凸部７とによって区画された６個のトレー収納部８のそれぞれの底壁部に通気用の貫通穴１３が形成されており、該貫通穴１３は四角形状で、長さが１６０ｍｍ、幅が９５ｍｍである。また、前記区画されたトレー収納部８の底壁部の面積に対する前記貫通穴１３の開口の面積の割合は６９％である
【００３６】
四隅角部分の側壁上面には、上面視Ｌ字状の長さ９７ｍｍ、高さ９ｍｍの係合突起１４がそれぞれ形成され、四隅角部分の底壁下面には前記係合突起１４に係合する裏面視Ｌ字状の長さ１１４ｍｍ、深さ１３ｍｍの係合凹部１５がそれぞれ形成されている。
【００３７】
なお、側壁突出部２０と中央凸部７とによって区画されたトレー収納部８に収納できるフランジ部を有するトレーとしては、イチゴをパック詰めする平トレーがある。この平トレーの形状寸法は、フランジ部の端部間の長さ（トレーの長辺方向長さ）が１９６ｍｍ程度、幅（トレーの短辺方向長さ）が１２８ｍｍ程度、フランジ部の下端から底の下端までの高さが２３ｍｍ程度である。この平トレーをそれぞれ区画されたトレー収納部８に収納した場合には、側壁突出部２０、中央凸部７などで平トレーのフランジ部Ｆを支持させると、トレーの底が箱体の底壁に接触せず、宙吊りの状態で保持される。
【００３８】
以上、本発明に係る集合包装容器の実施形態を説明したが、本発明は、何ら既述の実施形態に限定されるものではなく、特許請求の範囲に記載した本発明の技術的思想の範囲内において、種々の変更を加えた実施形態とすることが可能であることは当然である。
【産業上の利用可能性】
【００３９】
上記した本発明に係る集合包装容器は、組み立ての必要がなく軽量であると共に、かつ撓み強度に優れるものとなるので、イチゴ、ぶどう、さくらんぼ、びわ、いちじく等の果肉の軟らかい果実を輸送するのに好適に使用することができる。
【符号の説明】
【００４０】
１    集合包装容器
２    側壁
２ａ    長手方向の側壁
２ｂ    短手方向の側壁
３    通気部
４    取っ手となる切欠き凹部
５    バンドを引っ掛ける目印となる浅い凹部
６    側壁段部
６ａ    上面視Ｌ字状の側壁段部
６ｂ    箱体長手方向側壁に形成された側壁段部
６ｃ    箱体短手方向側壁に形成された側壁段部
７，７ａ，７ｂ    中央凸部
８    トレー収納部
８ａ    長辺方向が箱体の短手方向に向けられたトレー収納部
８ｂ    長辺方向が箱体の長手方向に向けられたトレー収納部
９ａ，９ｂ    中央突起
１０ａ，１０ｂ    肉盗み用の貫通穴
１１    指を挿入し得る円弧状の切欠き部
１２    底壁
１３    貫通穴
１４    係合突起
１５    係合凹部
２０    側壁突出部
２０ａ    箱体長手方向側壁に形成された側壁突出部
２０ｂ    箱体短手方向側壁に形成された側壁突出部
３０，３０ａ，３０ｂ  中央突出部
Ｔ    イチゴのパック詰め平トレー
Ｆ    トレーのフランジ部
Ｐ    バンド
【図１】
0006738633.tif 000002
【図２】
0006738633.tif 000003
【図３】
0006738633.tif 000004
【図４】
0006738633.tif 000005
【図５】
0006738633.tif 000006
【図６】
0006738633.tif 000007
【図７】
0006738633.tif 000008
【図８】
0006738633.tif 000009
【図９】
0006738633.tif 000010
【図１０】
0006738633.tif 000011